(57)【要約】【課題】オブジェクト画像を映像データに重畳させて表示する場合にユーザの操作性を向上させることができる再生装置を提供する。【解決手段】再生装置１Ａは、デジタルストリームから少なくとも映像ストリームとグラフィックスデータとを分離するストリーム分離部１２と、映像ストリームを復号する映像デコーダ１４と、グラフィックスデータを復号して、映像データと重畳されるべき第１のオブジェクト画像のデータを生成するとともに第１のオブジェクト画像の属性情報を含むオブジェクト情報を生成するグラフィックスデコーダ１５と、オブジェクト情報を解析する情報解析部１８と、情報解析部１８による解析結果に基づいて、第１のオブジェクト画像とは異なる属性を有する第２のオブジェクト画像のデータを生成する画像生成部２１と、第２のオブジェクト画像のデータを映像データに重畳させる画像重畳部２２とを備える。【選択図】図１
2011188173.tif 000002
【特許請求の範囲】
【請求項１】
入力されたデジタルストリームから映像データを再生して前記映像データを表示装置に表示させる再生装置であって、
前記デジタルストリームから少なくとも映像ストリームと該映像ストリームに関連付けされたグラフィックスデータとを分離するストリーム分離部と、
前記映像ストリームを復号して前記映像データを生成する映像デコーダと、
前記グラフィックスデータを復号して、前記映像データと重畳されるべき第１のオブジェクト画像のデータを生成するとともに前記第１のオブジェクト画像の属性情報を含むオブジェクト情報を生成するグラフィックスデコーダと、
前記オブジェクト情報を解析する情報解析部と、
前記情報解析部による解析結果に基づいて、前記第１のオブジェクト画像とは異なる属性を有する第２のオブジェクト画像のデータを新たに生成する画像生成部と、
前記第２のオブジェクト画像のデータを前記映像データに重畳させる画像重畳部と、
前記表示装置に表示された前記第２のオブジェクト画像に対応するユーザ操作に応じて、前記第２のオブジェクト画像に割り当てられた制御コマンドに従う制御処理を実行する再生制御部と、
を備えることを特徴とする再生装置。
【請求項２】
請求項１に記載の再生装置であって、
前記ストリーム分離部は、前記映像データの再生を制御するための再生制御情報を前記デジタルストリームから分離し、
前記情報解析部は、前記デジタルストリームから分離された当該再生制御情報を解析してその解析結果を前記画像生成部に出力し、
前記第２のオブジェクト画像のデータは、前記オブジェクト情報の解析結果と前記再生制御情報の解析結果とに基づいて生成される、
ことを特徴とする再生装置。
【請求項３】
請求項２に記載の再生装置であって、
前記情報解析部は、前記再生制御情報を解析することにより前記第１のオブジェクト画像に対するユーザ操作が有効であるか否かを判定し、
前記画像重畳部は、前記情報解析部による判定結果に従って、前記第１のオブジェクト画像のうち、前記ユーザ操作が有効なオブジェクト画像のデータを前記第２のオブジェクト画像のデータとともに前記映像データに重畳させ、前記ユーザ操作が有効ではないオブジェクト画像のデータを前記映像データに重畳させない、
ことを特徴とする再生装置。
【請求項４】
請求項２に記載の再生装置であって、
前記再生制御情報は、特定のユーザ操作に対応する制御コマンドが記述されたユーザコマンド情報を含み、
前記画像生成部は、前記ユーザコマンド情報に記述された制御コマンドに対応するオブジェクト画像のデータを前記第２のオブジェクト画像のデータとして生成する、
ことを特徴とする再生装置。
【請求項５】
請求項２から４のうちのいずれか１項に記載の再生装置であって、前記画像重畳部は、前記第１及び第２のオブジェクト画像にそれぞれ対応する制御コマンドが同一であり、且つ、前記第１及び第２のオブジェクト画像の表示領域が重複するとき、少なくとも前記表示領域が重複する領域で前記第１のオブジェクト画像のデータを前記映像データに重畳させないことを特徴とする再生装置。
【請求項６】
請求項１から５のうちのいずれか１項に記載の再生装置であって、前記画像生成部は、前記情報解析部による当該解析結果に基づいて、前記第１のオブジェクト画像とは重複しない表示領域に表示される画像のデータを前記第２のオブジェクト画像のデータとして生成することを特徴とする再生装置。
【請求項７】
請求項１から６のうちのいずれか１項に記載の再生装置であって、接触型入力装置に操作入力された座標情報を解析し、その解析結果に応じた制御コマンドを発行する入力解析部をさらに備え、
前記再生制御部は、前記入力解析部により発行された制御コマンドに従って前記制御処理を実行する、
ことを特徴とする再生装置。
【請求項８】
請求項１から７のうちのいずれか１項に記載の再生装置であって、前記第２のオブジェクト画像は、グラフィカル・ユーザ・インタフェースの一部であることを特徴とする再生装置。
【請求項９】
請求項１から８のうちのいずれか１項に記載の再生装置であって、記録媒体から前記デジタルストリームを読み出して前記ストリーム分離部に入力させるデータ入力処理部をさらに備えることを特徴とする再生装置。
【請求項１０】
入力されたデジタルストリームから映像データを再生して表示装置に前記映像データを表示させる再生方法であって、
前記デジタルストリームから少なくとも映像ストリームと該映像ストリームに関連付けされたグラフィックスデータとを分離するステップと、
前記映像ストリームを復号して前記映像データを生成するステップと、
前記グラフィックスデータを復号して、前記映像データと重畳されるべき第１のオブジェクト画像のデータを生成するとともに前記第１のオブジェクト画像の属性情報を含むオブジェクト情報を生成するステップと、
前記オブジェクト情報を解析するステップと、
前記オブジェクト情報の解析結果に基づいて、前記第１のオブジェクト画像とは異なる属性を有する第２のオブジェクト画像のデータを新たに生成するステップと、
前記第２のオブジェクト画像のデータを前記映像データに重畳させるステップと、
を備えることを特徴とする再生方法。
【請求項１１】
請求項１０に記載の再生方法であって、
前記映像データの再生を制御するための再生制御情報を前記デジタルストリームから分離するステップと、
前記再生制御情報を解析するステップと、
をさらに備え、
前記第２のオブジェクト画像のデータは、前記オブジェクト情報の解析結果と前記再生制御情報の解析結果とに基づいて生成されることを特徴とする再生方法。
【発明の詳細な説明】
【技術分野】
【０００１】
本発明は、映像データや音声データなどの情報を再生する再生装置及び再生方法に関する。
【背景技術】
【０００２】
近年、映像データや音声データは、ＭＰＥＧ（Ｍｏｖｉｎｇ  Ｐｉｃｔｕｒｅ  Ｅｘｐｅｒｔｓ  Ｇｒｏｕｐ）などの標準規格に従って圧縮符号化され、デジタルストリーム中に多重化された後に、ＨＤＤ（Ｈａｒｄ  Ｄｉｓｋ  Ｄｒｉｖｅ）や光ディスクなどの記録媒体に格納される。映画の字幕情報、ボタン画像またはメニュー画像といったオブジェクト画像を生成するための補助データも符号化して映像データとともにデジタルストリーム中に多重化することができる。
【０００３】
しかしながら、ボタン画像やメニュー画像といったオブジェクト画像をデジタルストリームから再生し表示装置に表示したときに、オブジェクト画像が表示画面の適切な位置に適切なサイズで表示されないことがある。この場合、ユーザがボタン画像やメニュー画像を視認することが難しくなったり、操作入力（たとえば、目的とするボタン画像のクリック）に失敗したりするという問題がある。この種の問題は、たとえば、本来家庭用の大きな画面に表示されることを想定してつくられたオブジェクト画像を表示解像度の低い車載用の小型モニタに表示する場合に生じやすい。この問題を解決する１つの方法として、オブジェクト画像のみを拡大表示してユーザの操作性を向上させる技術が特開２００９−１５８０３９号公報（特許文献１）に開示されている。
【先行技術文献】
【特許文献】
【０００４】
【特許文献１】特開２００９−１５８０３９号公報（たとえば、段落００３６〜００４８、図２）
【発明の概要】
【発明が解決しようとする課題】
【０００５】
特許文献１に開示されている技術では、オブジェクト画像が拡大表示されることで、当該オブジェクト画像に関する限りユーザの操作性は良好になるものの、拡大表示されたオブジェクト画像の背後に他のボタン画像やメニュー画像が隠れてしまうことでユーザの操作性が逆に低下するという問題がある。
【０００６】
上記に鑑みて本発明の目的は、オブジェクト画像を映像データに重畳させて表示する場合にユーザの操作性を向上させることができる再生装置及び再生方法を提供することである。
【課題を解決するための手段】
【０００７】
本発明による再生装置は、入力されたデジタルストリームから映像データを再生して前記映像データを表示装置に表示させる再生装置であって、前記デジタルストリームから少なくとも映像ストリームと該映像ストリームに関連付けされたグラフィックスデータとを分離するストリーム分離部と、前記映像ストリームを復号して前記映像データを生成する映像デコーダと、前記グラフィックスデータを復号して、前記映像データと重畳されるべき第１のオブジェクト画像のデータを生成するとともに前記第１のオブジェクト画像の属性情報を含むオブジェクト情報を生成するグラフィックスデコーダと、前記オブジェクト情報を解析する情報解析部と、前記情報解析部による解析結果に基づいて、前記第１のオブジェクト画像とは異なる属性を有する第２のオブジェクト画像のデータを新たに生成する画像生成部と、前記第２のオブジェクト画像のデータを前記映像データに重畳させる画像重畳部と、前記表示装置に表示された前記第２のオブジェクト画像に対応するユーザ操作に応じて、前記第２のオブジェクト画像に割り当てられた制御コマンドに従う制御処理を実行する再生制御部と、を備えることを特徴とする。
【０００８】
また、本発明による再生方法は、入力されたデジタルストリームから映像データを再生して表示装置に前記映像データを表示させる再生方法であって、前記デジタルストリームから少なくとも映像ストリームと該映像ストリームに関連付けされたグラフィックスデータとを分離するステップと、前記映像ストリームを復号して前記映像データを生成するステップと、前記グラフィックスデータを復号して、前記映像データと重畳されるべき第１のオブジェクト画像のデータを生成するとともに前記第１のオブジェクト画像の属性情報を含むオブジェクト情報を生成するステップと、前記オブジェクト情報を解析するステップと、前記オブジェクト情報の解析結果に基づいて、前記第１のオブジェクト画像とは異なる属性を有する第２のオブジェクト画像のデータを新たに生成するステップと、前記第２のオブジェクト画像のデータを前記映像データに重畳させるステップと、を備えることを特徴とする。
【発明の効果】
【０００９】
本発明によれば、オブジェクト情報の解析結果に基づいて、第１のオブジェクト画像とは異なる属性を有する第２のオブジェクト画像のデータを新たに生成し映像データに重畳させるので、ユーザの操作性を向上させる画面を表示することができる。
【図面の簡単な説明】
【００１０】
【図１】本発明に係る実施の形態１の再生装置の構成を概略的に示す機能ブロック図である。
【図２】画像表示装置の表示画面の一例を模式的に示す図である。
【図３】実施の形態１に係るオブジェクト情報の一例を模式的に示す図である。
【図４】映像データに新オブジェクト画像のデータを重畳して得られた表示画面を概略的に示す図である。
【図５】複数の表示画面の例を示す図である。
【図６】複数の表示画面の他の例を示す図である。
【図７】実施の形態１に係る第２制御情報解析部の構成の一例を概略的に示す機能ブロック図である。
【図８】時間の経過とともに内容が遷移する表示画面の例を示す図である。
【図９】実施の形態１の制御部により実行される制御処理の手順を概略的に示すフローチャートである。
【図１０】図９の操作入力処理（ステップＳ３４）の手順を概略的に示すフローチャートである。
【図１１】実施の形態１に係る情報解析・画像生成処理の手順を概略的に示すフローチャートである。
【図１２】本発明に係る実施の形態２の再生装置の構成を概略的に示す機能ブロック図である。
【図１３】画像表示装置の表示画面を例示する図である。
【図１４】実施の形態２の制御部により実行される制御処理の手順を概略的に示すフローチャートである。
【図１５】図１４のパネル操作入力処理（ステップＳ３５）の手順を概略的に示すフローチャートである。
【発明を実施するための形態】
【００１１】
以下、本発明に係る実施の形態について図面を参照しつつ説明する。
【００１２】
実施の形態１．
図１は、本発明に係る再生装置１Ａの構成を概略的に示す機能ブロック図である。図１に示されるように、この再生装置１Ａは、デジタルストリームを記録媒体３０から読み出してストリーム分離部１２に与えるデータ入力処理部１１と、デジタルストリームから符号化ビットストリームやグラフィックスデータを分離するストリーム分離部１２と、音声ストリームを復号するオーディオデコーダ１３と、映像ストリームを復号する映像デコーダ１４と、グラフィックスデータを復号するグラフィックスデコーダ１５と、映像デコーダ１４の出力画像にグラフィックスデコーダ１５の出力画像を重畳（オーバーレイ）させる画像重畳部２２と、ユーザ操作によるキー入力を受け付ける操作入力処理部１６Ａと、再生制御部１７０を含む制御部１７Ａとを備える。制御部１７Ａは、再生装置１Ａを構成する機能ブロック１１〜２２の動作を制御するものである。
【００１３】
リモートコントローラ３３（以下、単に「リモコン３３」と呼ぶ。）は、図示されない複数のボタン（キー）を備えており、ユーザはリモコン３３を操作していずれかのボタンを押下することで情報を入力することができる。リモコン３３は、押下されたボタンに対応する入力情報（キー入力）を赤外線通信や近距離無線通信により操作入力処理部１６Ａに送信する。操作入力処理部１６Ａは、リモコン３３から送信された入力情報を受信し、この入力情報に対応する制御コマンドを発行する機能を有する。そして、再生制御部１７０は、この制御コマンドに従って機能ブロック１１〜１５，１８，２１，２２に対する制御処理を実行する機能を有する。たとえば、操作入力処理部１６Ａが字幕言語の英語から日本語への切り替えを指示する制御コマンドを発行したとき、再生制御部１７０は、グラフィックスデコーダ１５を制御して、グラフィックスデコーダ１５に字幕画像の言語を英語から日本語に切り替えさせる。
【００１４】
データ入力処理部１１は、記録媒体３０にアクセスしてコンテンツデータを含むデジタルストリームを読み出す駆動装置（図示せず）を有している。記録媒体３０としては、たとえば、ＨＤＤ（ハードディスクドライブ）や光ディスクが挙げられるが、これらに限定されるものではない。
【００１５】
ストリーム分離部１２は、データ入力処理部１１により読み出されたデジタルストリームから、符号化ビットストリームである映像ストリーム及び音声ストリームを分離し、映像ストリームを映像デコーダ１４に出力し、音声ストリームをオーディオデコーダ１３に出力する機能を有する。また、ストリーム分離部１２は、デジタルストリームに再生制御情報が多重化されている場合にはデジタルストリームから再生制御情報を分離して制御部１７Ａと情報解析部１８とに出力する。さらに、ストリーム分離部１２は、デジタルストリームにグラフィクスデータストリームが多重化されている場合にはデジタルストリームからグラフィクスデータストリームを分離してグラフィックスデコーダ１５に出力する。
【００１６】
映像デコーダ１４は、ストリーム分離部１２から入力された映像ストリームを復号して映像データ（動画像データ）を生成し、この映像データを画像重畳部２２に出力することができる。なお、映像デコーダ１４は、ストリーム分離部１２から入力された複数の映像ストリームを同時並行に復号して複数系列の映像データを生成してもよい。一方、グラフィックスデコーダ１５は、ストリーム分離部１２から入力されたグラフィックスデータストリームを復号して、たとえば字幕画像やテキスト画像やメニュー画像やボタン画像といったオブジェクト画像のデータを生成し、これらオブジェクト画像のデータを画像重畳部２２に出力することができる。ここで、ボタン画像及びメニュー画像は、ＧＵＩ（グラフィカル・ユーザ・インタフェース）の一部として映像データに重畳される局所画像である。画像重畳部２２は、映像デコーダ１４から入力された映像データにオブジェクト画像のデータを重畳（オーバーレイ）して映像信号を生成し、この映像信号を画像表示装置３２に出力する。オーディオデコーダ１３は、入力された音声ストリームを復号して音声データを生成し、この音声データを画像重畳部２２の映像出力と同期させて音声出力装置３１に出力することができる。なお、オーディオデコーダ１３は、ストリーム分離部１２から入力された複数の音声ストリームを同時並行に復号して複数系列の音声データを生成してもよい。
【００１７】
図２は、画像重畳部２２の出力映像を表示する画像表示装置３２の表示画面４０の一例を模式的に示す図である。図２に示されるように、表示画面４０には、映像データに基づくコンテンツ画像３００Ａ，３００Ｂ，３００Ｃを含む画像と、この画像に重畳されたオブジェクト画像３０１〜３０５とが表示されている。図２において、オブジェクト画像３０１は、字幕設定用のメニュー画像を表示させるボタン画像であり、オブジェクト画像３０２は、たとえば英語や日本語などの複数の音声言語（サウンドトラック）のうちのいずれかの選択を促すメニュー画像を表示させるボタン画像であり、オブジェクト画像３０３は、特典映像を記録媒体３０から再生させるボタン画像である。ユーザは、リモコン３３を操作してオブジェクト画像３０１〜３０３のいずれかを選択することができる。なお、青色と赤色のオブジェクト画像３０４，３０５には、ユーザ操作に関するイベントが割り当てられていないので、ユーザはオブジェクト画像３０４，３０５を選択することができない。
【００１８】
グラフィックスデコーダ１５は、グラフィックスデータストリームを復号してオブジェクト画像（以下「復号オブジェクト画像」と呼ぶ。）のデータを生成するとともに、復号オブジェクト画像の属性情報を含むオブジェクト情報を生成し、このオブジェクト情報を情報解析部１８に出力する機能を有する。属性情報としては、復号オブジェクト画像の種類、復号オブジェクト画像を生成するための文字情報やベクトルデータ、並びに、復号オブジェクト画像の表示座標や表示時間が挙げられる。復号オブジェクト画像の種類としては、たとえば、字幕、ボタン、メニュー、静止画及びアニメーションが挙げられるが、これらに限定されるものではない。図３（Ａ）〜（Ｄ）は、ボタンオブジェクト（ボタン画像）、字幕情報及びフォント情報（文字情報）に関するオブジェクト情報の一例を模式的に示す図である。図３（Ａ）のテーブルは、ボタンオブジェクト、字幕情報及びフォント情報の有無を示す情報である。図３（Ｂ）のテーブルは、「字幕」、「音声」（サウンドトラック）、「特典」、「青」及び「赤」の名称が付されたオブジェクト画像がボタンオブジェクトとして機能するか否かを示す情報である。図３（Ｂ）において、「○」は、ボタンオブジェクトとして機能することを示し、「×」は、ボタンオブジェクトとして機能しないことを示す。図３（Ｃ）のテーブルは、字幕情報の表示座標（Ｘ座標値＝４８０、Ｙ座標値＝３５０）と表示時間（３秒）を指定する情報である。そして、図３（Ｄ）のテーブルは、字幕に使用されるフォント名（明朝）とフォントサイズ（２４ｐｔ）とを指定する情報である。
【００１９】
情報解析部１８は、ストリーム分離部１２から入力された再生制御情報とグラフィックスデコーダ１５から入力されたオブジェクト情報とを解析し、その解析結果を画像生成部２１に与える。画像生成部２１は、その解析結果に基づいてオブジェクト画像（以下「新オブジェクト画像」と呼ぶ。）のデータを新たに生成し、画像重畳部２２に出力する機能を有する。画像重畳部２２は、映像デコーダ１４の出力映像にグラフィックスデコーダ１５の出力画像（復号オブジェクト画像）のデータと新オブジェクト画像のデータとを重畳して画像表示装置３２に出力する。ここで、画像重畳部２２は、再生制御部１７０の制御を受けて、復号オブジェクト画像のデータの全部または一部を映像デコーダ１４の出力に重畳しないようにすることもできる。
【００２０】
画像生成部２１は、情報解析部１８から供給された解析結果に基づいて新オブジェクト画像のデータを生成する。新オブジェクト画像に割り当てられる制御コマンドは、グラフィックスデコーダ１５の出力（復号オブジェクト画像のデータ）に割り当てられたものと同種の制御コマンドでもよいし、あるいは、グラフィックスデコーダ１５の出力画像に割り当てられたものとは異なる制御コマンド（たとえば、映像の再生開始や再生の一時停止を実行させるもの）でもよい。
【００２１】
また、画像生成部２１は、情報解析部１８から供給された解析結果に基づいて、グラフィックスデコーダ１５の出力画像とは重複しない表示領域に表示される新オブジェクト画像を生成することができる。あるいは、新オブジェクト画像と復号オブジェクト画像とにそれぞれ対応する制御コマンドが同一であり、且つ、新オブジェクト画像の表示領域が復号オブジェクト画像の表示領域と重複するときは、再生制御部１７０は、当該解析結果に基づいて、少なくとも両者の表示領域が重複する領域において復号オブジェクト画像を表示させない映像信号を画像重畳部２２に生成させることができる。さらに、画像生成部２１は、当該解析結果に基づいて、画像表示装置３２の表示解像度に適合するように新オブジェクト画像のサイズを調整することができる。したがって、ユーザは、画像表示装置３２に表示された復号オブジェクト画像を選択する操作を行うことが難しい状況でも、新オブジェクト画像を選択する操作を容易且つ確実に行うことができる。
【００２２】
図４は、図２の映像データに新オブジェクト画像６０１〜６０７のデータを重畳して得られた表示画面４１の一例を概略的に示す図である。図４に示されるように、この表示画面４１には、映像データに基づくコンテンツ画像３００Ａ，３００Ｂ，３００Ｃを含む画像と、この画像に重畳された復号オブジェクト画像３０１〜３０５と、新オブジェクト画像６０１〜６０６とを含む。また、図５及び図６は、画像表示装置３２の表示画面の例を示す図である。画像重畳部２２が映像デコーダ１４の出力映像のみから映像信号を構成する場合、図５に示される表示画面４２が生成される。画像重畳部２２がグラフィックスデコーダ１５の出力画像のみから映像信号を構成する場合は、図５に示される表示画面４３が生成される。画像重畳部２２が映像デコーダ１４の出力映像にグラフィックスデコーダ１５の出力画像３０１〜３０５を重畳させたときは、図５に示される表示画面４４が生成される。また、画像重畳部２２が画像生成部２１の出力画像のみから映像信号を構成する場合は、図６に示される表示画面４５が生成される。画像重畳部２２が映像デコーダ１４の出力映像にグラフィックスデコーダ１５の出力画像３０１〜３０５と画像生成部２１の出力画像６０１〜６０７とを重畳させたときは、図６に示す表示画面４１が生成される。
【００２３】
表示画面４１では、図４に示されるように、新オブジェクト画像６０１〜６０６は、復号オブジェクト画像３０１〜３０５とは重複しない表示領域に表示されており、新オブジェクト画像６０１〜６０６のサイズは画像表示装置３２の表示解像度に合わせたサイズを持つように調整されている。したがって、ユーザは、新オブジェクト画像６０１〜６０６を復号オブジェクト画像３０１〜３０５とは明確に区別することができる。また、ユーザは、リモコン３３を操作して画面選択指示を再生制御部１７０に与えることにより、図５及び図６の表示画面４１〜４５のうちから所望の画面を選択することができる。たとえば図５の表示画面４３が選択された場合、ユーザは、復号オブジェクト画像３０１〜３０３を識別しやすくなるとともに、ボタン画像３０２を選択してメニュー画像（複数の音声言語の中からいずれか１つの選択を促す画像）を表示させたときには、このメニュー画像を識別しやすいという利点がある。
【００２４】
情報解析部１８は、第１制御情報解析部１９及び第２制御情報解析部２０を有しており、第１制御情報解析部１９は、再生制御情報を解析する。グラフィックスデコーダ１５から入力されたオブジェクト情報は、第１制御情報解析部１９を介して第２制御情報解析部２０に供給される。第１制御情報解析部１９は、再生制御情報を解析することにより、たとえば、ユーザオペレーションマスク情報、時間情報、ユーザコマンド情報及び再生単位情報を生成し、これらの情報を第２制御情報解析部２０に与える。
【００２５】
ユーザオペレーションマスク情報は、特定のユーザ操作をマスクする（無効にする）情報である。言い換えれば、ユーザオペレーションマスク情報は、有効なユーザ操作を指定する情報であるといえる。たとえば、ある映像再生区間において、一時停止や早送りの発生を指示するユーザ操作がマスクされている場合、ユーザは、リモコン３３の一時停止ボタンや早送りボタンを押下しても、再生制御部１７０は、一時停止や早送りを実行しない。また、ユーザオペレーションマスク情報がユーザ操作によるボタン画像の選択をマスクしている場合には、ユーザがリモコン３３を操作してもそのボタン画像を選択することができない。ユーザオペレーションマスク情報でマスクされるユーザ操作（キー情報）は、再生時間の経過とともに変化し得る。
【００２６】
時間情報は、映像データを構成する再生単位が別の再生単位に遷移または終了する時刻を表す情報である。たとえば、ＢＤ（Ｂｌｕ−ｒａｙ  Ｄｉｓｃ）−ＲＯＭの規格では、映像データを単数または複数の「タイトル」と呼ばれる再生単位で構成することができ、１つのタイトルをさらに複数の「チャプタ」と呼ばれる細かい再生単位に論理的に分割することができる。
【００２７】
ユーザコマンド情報は、特定のユーザ操作に対する制御コマンドが記述された情報である。再生制御部１７０は、操作入力処理部１６Ａで発行された制御コマンドに代えて、ユーザコマンド情報に記述されている制御コマンドを使用しこれに従って動作する。たとえば、リモコン３３の再生停止ボタンを押下するユーザ操作に対して、スキップの制御コマンドがユーザコマンド情報に記述されている場合、ユーザがリモコン３３の再生停止ボタンを押下すれば、再生制御部１７０は、再生停止を実行せず、再生対象を現在のチャプタから別のチャプタへ移動（スキップ）させる。
【００２８】
図７は、第２制御情報解析部２０の構成の一例を概略的に示す機能ブロック図である。図７に示されるように、第２制御情報解析部２０は、第１制御情報解析部１９から供給されたユーザオペレーションマスク情報、時間情報、ユーザコマンド情報、再生単位情報及びオブジェクト情報をそれぞれ解析するユーザオペレーションマスク解析部２０１、時間情報解析部２０２、ユーザコマンド解析部２０３、再生単位情報解析部２０４及びオブジェクト情報解析部２０５を有する。これらユーザオペレーションマスク解析部２０１、時間情報解析部２０２、ユーザコマンド解析部２０３、再生単位情報解析部２０４及びオブジェクト情報解析部２０５による解析結果は、画像生成部２１と制御部１７Ａとに供給される。
【００２９】
ユーザオペレーションマスク解析部２０１は、入力されたユーザオペレーションマスク情報を解析し、その解析結果として無効なユーザ操作に関する情報を出力する。たとえば、一時停止を実行させるユーザ操作がマスクされている場合、ユーザオペレーションマスク解析部２０１は、一時停止が割り当てられる新オブジェクト画像のデータを生成する必要がない旨を解析結果として出力することができる。
【００３０】
再生制御部１７０は、マスクされたユーザ操作に対応する復号オブジェクト画像のデータを重畳させないように画像重畳部２２を制御することができる。あるいは、再生制御部１７０は、マスクされたユーザ操作に対応する復号オブジェクト画像のデータを出力しないようにグラフィックスデコーダ１５を制御することもできる。これにより、ユーザ操作が有効ではない復号オブジェクト画像が画像表示装置３２に表示されないので、ユーザが操作しやすい表示画面を提供することができる。
【００３１】
時間情報解析部２０２は、入力された時間情報を解析し、その解析結果として、たとえば現在の再生時間及び総再生時間を出力することができる。また、ユーザコマンド解析部２０３は、入力されたユーザコマンド情報を解析し、その解析結果としてユーザコマンド情報に記述されている制御コマンド（ユーザコマンド）の情報を出力する。画像生成部２１は、その制御コマンド（ユーザコマンド）に対応する新オブジェクト画像のデータを生成することができる。
【００３２】
再生単位情報解析部２０４は、タイトル情報などの再生単位情報を解析し、その解析結果として、たとえば、図４に例示される上方移動キー６０３、左方移動キー６０４、右方移動キー６０６、下方移動キー６０７あるいは決定キー６０５といったユーザ操作の対象となる新オブジェクト画像のデータを生成しなくてもよい旨の情報を出力することができる。
【００３３】
オブジェクト情報解析部２０５は、入力されたオブジェクト情報を解析し、その解析結果として、たとえば、復号オブジェクト画像と同じ制御コマンドが割り当てられた新オブジェクト画像（復号オブジェクト画像と同じ機能を有する新オブジェクト画像）の生成要求や、復号オブジェクト画像とは異なる制御コマンドが割り当てられた新オブジェクト画像（復号オブジェクト画像とは異なる機能を有する新オブジェクト画像）の生成要求を出力することができる。画像生成部２１は、図３（Ａ）〜（Ｄ）に示されるようなオブジェクト情報の解析結果に基づいて、表示画面に映し出されるボタン画像などの復号オブジェクト画像の個数や表示領域を把握し、新オブジェクト画像の総数や表示領域を調整することができる。たとえば、オブジェクト情報に含まれる字幕の言語情報の解析結果を利用することで、新オブジェクト画像のラベルに表示すべき言語を選択することができる。また、図３（Ｃ）の字幕情報の解析結果を利用することで、字幕画像の表示座標と重ならない新オブジェクト画像を生成することができる。さらに、図３（Ｄ）のフォント情報の解析結果を利用することで、フォントを切り替えるためのボタン画像を新オブジェクト画像として生成することができる。
【００３４】
また、オブジェクト情報解析部２０５は、オブジェクト情報の解析結果を再生制御部１７０に出力することにより再生制御部１７０にグラフィックスデコーダ１５を制御させたり、操作入力処理部１６Ａで発行された特定の制御コマンドをマスクさせたりすることができる。また、再生制御部１７０は、オブジェクト情報解析部２０５から得た解析結果に基づいてグラフィックスデコーダ１５や画像重畳部２２を制御することにより、グラフィックスデコーダ１５に復号オブジェクト画像の全部または一部のデータの出力を停止させたり、画像重畳部２２に復号オブジェクト画像の全部または一部のデータを重畳させないようにすることができる。たとえば、図４に示した復号オブジェクト画像３０１〜３０５のうち、ボタンオブジェクトとしての機能を持たない復号オブジェクト画像３０４，３０５を表示画面４１から消すことが可能である。さらに、再生制御部１７０は、当該解析結果に基づいて、グラフィックスデコーダ１５に復号オブジェクト画像の画質（輝度や色相など）を調整させることもできる。
【００３５】
上記したユーザオペレーションマスク解析部２０１、時間情報解析部２０２、ユーザコマンド解析部２０３、再生単位情報解析部２０４及びオブジェクト情報解析部２０５は、入力情報の内容の時間変化に応じて解析結果を動的に出力することができる。これにより、オブジェクト画像の画面表示や画面からの消去を状況に応じて行うことができる。たとえば、現在の再生単位が「ムービータイトル」であり、再生開始や再生停止を禁止するものではないが、ユーザオペレーションマスク情報が早送り再生を禁止している場合、画像生成部２１は、再生単位情報解析部２０４とユーザオペレーションマスク解析部２０１とから供給された解析結果に基づいて、早送りを実行させる新オブジェクト画像のデータを生成せずに、再生開始や再生停止を実行させる新オブジェクト画像のデータを生成することができる。よって、現在の再生単位に応じて無駄な新オブジェクト画像のデータの生成を回避することができるので、新オブジェクト画像のデータを高速に生成することができる。
【００３６】
図８は、時間ｔの経過とともに内容が遷移する表示画面の例を示す図である。時刻ｔ０では、映像デコーダ１４の出力映像のみから表示画面４２が生成されている。その後、ストリーム分離部１２がデジタルストリームからグラフィックスデータと再生制御情報とを分離し、グラフィクスデータをグラフィックスデコーダ１５に出力し、再生制御情報を情報解析部１８に出力する。グラフィックスデコーダ１５がグラフィックスデータを復号し、情報解析部１８が再生制御情報とオブジェクト情報とを解析する。その結果、時刻ｔ１で、復号オブジェクト画像３０１〜３０３と新オブジェクト画像６０３〜６０６とを含む表示画面４６が生成される。その後、再生単位が変化してグラフィックスデコーダ１５にグラフィクスデータが入力されなくなると、グラフィックスデコーダ１５はグラフィックスデータに基づいた復号オブジェクト画像３０１〜３０３のデータの出力を停止し、情報解析部１８に入力される再生制御情報の内容が変化する。その結果、時刻ｔ２で、別の新オブジェクト画像７０１〜７０３を含む表示画面４７が生成される。
【００３７】
次に、図９〜図１１を参照しつつ、上記構成を有する再生装置１Ａの動作を以下に説明する。図９及び図１０は、再生装置１Ａの制御部１７Ａにより実行される制御処理の手順を概略的に示すフローチャートである。ここで、図９及び図１０のフローチャートは、接続子Ｃ１を介して相互に接続されている。図１１は、情報解析部１８及び画像生成部２１により実行される情報解析・画像生成処理の手順を概略的に示すフローチャートである。
【００３８】
再生装置１Ａのシステムに電源が投入されると、システムが起動して制御処理を開始させる。まず、制御部１７Ａは、システム終了の要求の有無を確認し（ステップＳ１０）、この要求があることを確認すれば（ステップＳ１０のＹＥＳ）、システム終了処理（ステップＳ３６）を実行した後に制御処理を終了する。一方、システム終了の要求がなければ（ステップＳ１０のＮＯ）、制御部１７Ａは、再生指示の制御コマンドが発行されるまで待機している（ステップＳ１２のＮＯ）。
【００３９】
たとえば、操作入力処理部１６Ａにより再生指示の制御コマンドが発行されると（ステップＳ１２のＹＥＳ）、再生制御部１７０は、データ入力処理部１１にコンテンツデータの読み出しコマンドを送信してデータ読み出し制御を開始する（ステップＳ１４）。データ入力処理部１１は、読み出しコマンドに応じて記録媒体３０から当該コンテンツデータを含むデジタルストリームを読み出し、ストリーム分離部１２に転送する。ストリーム分離部１２は、入力されたデジタルストリームから映像ストリーム及び音声ストリームを分離し、映像ストリームを映像デコーダ１４に出力し、音声ストリームをオーディオデコーダ１３に出力する。また、デジタルストリームに再生制御情報が存在する場合には、ストリーム分離部１２はデジタルストリームから再生制御情報を分離して制御部１７Ａと情報解析部１８とに出力する。デジタルストリーム中にグラフィクスデータストリームが存在する場合には、ストリーム分離部１２はデジタルストリームからグラフィクスデータストリームを分離してグラフィックスデコーダ１５に出力する。
【００４０】
再生制御情報及びグラフィックスデータがデジタルストリームから分離されず、存在しない場合には（ステップＳ１６のＮＯ）、再生制御部１７０は、映像データと音声データとの一方または双方の再生制御を実行することとなる。より具体的には、映像データ及び音声データの双方がデジタルストリーム中に存在しない場合は（ステップＳ２８のＮＯ及びステップＳ３０のＮＯ）、再生制御部１７０は処理をステップＳ１０に戻す。
【００４１】
一方、映像データがデジタルストリーム中に存在するが、音声データがデジタルストリーム中に存在しない場合は（ステップＳ２８のＹＥＳ及びステップＳ２２のＮＯ）、再生制御部１７０は映像だけの再生制御を実行する（ステップＳ２４）。このとき、再生制御部１７０は、映像デコーダ１４及び画像重畳部２２の動作を制御して映像デコーダ１４の出力映像を画像表示装置３２に表示させる。また、映像データがデジタルストリーム中に存在しないが、音声データがデジタルストリーム中に存在する場合は（ステップＳ２８のＮＯ及びステップＳ３０のＹＥＳ）、再生制御部１７０は音声だけの再生制御を実行する（ステップＳ３２）。このとき、再生制御部１７０は、オーディオデコーダ１３の動作を制御して音声出力装置３１から音声を出力させる。そして、映像データ及び音声データの双方がデジタルストリーム中に存在する場合は（ステップＳ２８のＹＥＳ及びステップＳ２２のＹＥＳ）、再生制御部１７０は映像及び音声の双方について再生制御を実行する（ステップＳ２６）。このとき、再生制御部１７０は、オーディオデコーダ１３、映像デコーダ１４及び画像重畳部２２の動作を制御して、画像表示装置３２に映像を表示させるとともに、この映像に同期した音声を音声出力装置３１から出力させる。
【００４２】
一方、再生制御情報及びグラフィックスデータのうちの少なくとも一方が存在し、デジタルストリームから分離された場合（ステップＳ１６のＹＥＳ）、再生制御部１７０は、情報解析部１８から解析結果を取得する（ステップＳ１８）。このとき、上述したように、情報解析部１８は、再生制御情報及びオブジェクト情報の少なくとも一方を解析するので、その解析結果が画像生成部２１と再生制御部１７０とに与えられる。
【００４３】
その後、再生制御部１７０は、解析結果に基づいて、グラフィックスデコーダ１５及び画像重畳部２２の動作を制御することにより画像重畳部２２の出力を制御する（ステップＳ２０）。たとえば、再生制御部１７０は、現在の解析結果に基づいて、画像重畳部２２に対して映像デコーダ１４の出力にオブジェクト画像（復号オブジェクト画像や新オブジェクト画像）のデータを重畳させる指令を出力したり、画像重畳部２２に対してオブジェクト画像の全部または一部のデータの重畳を中止させる指令を出力したりする。次いで、デジタルストリーム中に音声データが存在しない場合は（ステップＳ２２のＮＯ）、映像だけについて再生制御を実行する（ステップＳ２４）。一方、デジタルストリーム中に音声データが存在する場合は（ステップＳ２２のＹＥＳ）、映像及び音声について再生制御を実行する（ステップＳ２６）。
【００４４】
その後、操作入力処理（図１０）が行われる。具体的には、再生制御部１７０は、ユーザ操作によるキー入力（操作入力）を検出しない場合（図１０のステップＳ３４１のＮＯ）、図９のステップＳ３６に処理を移行させる。ステップＳ３６では、再生制御部１７０は、映像出力及び音声出力のいずれか一方が継続しているときは（ステップＳ３６のＹＥＳ）、ステップＳ１６に処理を移行させる。一方、映像出力及び音声出力が継続しないとき（ステップＳ３６のＮＯ）、再生制御部１７０は、コンテンツデータの再生は終了したと判断してステップＳ１０に処理を移行させる。
【００４５】
図１０のステップＳ３４１で、ユーザ操作によるキー入力（操作入力）を検出した場合は（ステップＳ３４１のＹＥＳ）、再生制御部１７０は、ユーザ操作が再生制御のためのイベントに該当するか否かを判定する（ステップＳ３４２）。ユーザ操作が、たとえば、再生開始、一時停止、早送りあるいは巻戻しなどの再生制御に関係するイベントに該当する場合（ステップＳ３４２のＹＥＳ）、再生制御部１７０は、当該イベントに対応する再生制御を実行する（ステップＳ３４３）。その後、再生制御部１７０は、図９のステップＳ３６に処理を移行させる。
【００４６】
一方、ユーザ操作が、たとえば、ボタン画像の選択やメニュー画像の表示指示といった、再生制御に直接関係しないイベントに該当する場合（ステップＳ３４２のＮＯ）、再生制御部１７０は、当該イベントに応じてグラフィックスデコーダ１５や画像重畳部２２の動作を制御することにより表示制御を行う（ステップＳ３４４）。その後、再生制御部１７０は、図９のステップＳ１６に処理を移行させる。
【００４７】
次に、図１１を参照しつつ、情報解析部１８及び画像生成部２１により実行される情報解析・画像生成処理の手順を以下に説明する。
【００４８】
情報解析部１８は、ストリーム分離部１２及びグラフィックスデコーダ１５から再生制御情報及びオブジェクト情報の少なくとも一方が入力されるまで待機している（ステップＳ４１のＮＯ及びステップＳ４９のＮＯ）。ストリーム分離部１２から再生制御情報が情報解析部１８に入力され（ステップＳ４１のＹＥＳ）、且つ、グラフィックスデコーダ１５からオブジェクト情報が情報解析部１８に入力されたとき（ステップＳ４３のＹＥＳ）、第１制御情報解析部１９及び第２制御情報解析部２０は、上述したように再生制御情報とオブジェクト情報とを解析し、その解析結果を画像生成部２１に与える（ステップＳ４５）。一方、ストリーム分離部１２から再生制御情報が情報解析部１８に入力されず（ステップＳ４１のＮＯ）、且つ、グラフィックスデコーダ１５からオブジェクト情報が情報解析部１８に入力されたとき（ステップＳ４９のＹＥＳ）、第２制御情報解析部２０がオブジェクト情報を解析し、その解析結果を画像生成部２１に与える（ステップＳ５１）。他方、ストリーム分離部１２から再生制御情報が情報解析部１８に入力され（ステップＳ４１のＹＥＳ）、且つ、グラフィックスデコーダ１５からオブジェクト情報が情報解析部１８に入力されないとき（ステップＳ４３のＮＯ）、第１制御情報解析部１９及び第２制御情報解析部２０が再生制御情報を解析し、その解析結果を画像生成部２１に与える（ステップＳ４７）。
【００４９】
上記解析結果は、制御部１７Ａにも出力される（ステップＳ５３）。上述したように、再生制御部１７０は、情報解析部１８から解析結果を取得すると（図９のステップＳ１８）、この解析結果に基づいて、グラフィックスデコーダ１５及び画像重畳部２２の動作を制御することにより画像重畳部２２の出力を制御する（ステップＳ２０）。
【００５０】
画像生成部２１は、上述したように情報解析部１８からの解析結果に基づいて新オブジェクト画像のデータを生成し（図１１のステップＳ５５）、新オブジェクト画像のデータを画像重畳部２２に出力する（ステップＳ５７）。その後、情報解析部１８及び画像生成部２１は、制御部１７Ａからの処理中止指令があれば（ステップＳ５９のＹＥＳ）、情報解析・画像生成処理を終了するが、制御部１７Ａからの処理中止指令がなければ（ステップＳ５９のＮＯ）、手順をステップＳ４１に移行させる。
【００５１】
上記したように実施の形態１の再生装置１Ａでは、情報解析部１８が再生制御情報とオブジェクト情報との少なくとも一方を解析し、その解析結果に基づいて画像生成部２１が復号オブジェクト画像とは異なる属性を有する新オブジェクト画像のデータを生成する。画像重畳部２２は、新オブジェクト画像のデータを映像データに重畳させて画像表示装置３２に表示させるので、ユーザが操作しやすい表示画面を提供することができる。ユーザは、画像表示装置３２に表示された復号オブジェクト画像を選択する操作を行うことが難しい状況でも、新オブジェクト画像を選択する操作を容易に行うことが可能である。
【００５２】
また、情報解析部１８は、ストリーム分離部１２から供給された再生制御情報の内容やグラフィックスデコーダ１５からのオブジェクト情報の内容の変化に応じて解析結果を動的に出力するので、シーンチェンジなどの切り替わりが多発しても、画像生成部２１は、この切り替わりに応じて新オブジェクト画像のデータをリアルタイムに生成することができる。たとえば、ゲームなどのコンテンツデータを再生する際にシーンチェンジが多く発生する場合でも、ボタン画像などの新オブジェクト画像を素早く描画することができる。
【００５３】
なお、上記実施の形態１の再生装置１Ａを構成する機能ブロック１２〜１５，１７Ａ，１８，２１の全部または一部は、たとえば、マイクロプロセッサ，ＲＯＭ（Ｒｅａｄ  Ｏｎｌｙ  Ｍｅｍｏｒｙ），ＲＡＭ（Ｒａｎｄｏｍ  Ａｃｃｅｓｓ  Ｍｅｍｏｒｙ），タイマー回路，入出力インターフェース及び専用処理ユニットを含む集積回路で構成することができる。また、機能ブロック１２〜１５，１７Ａ，１８，２１の全部または一部の機能は、ハードウェアで実現されてもよいし、あるいは、マイクロプロセッサにより実行されるコンピュータプログラムで実現されてもよい。機能ブロック１２〜１５，１７Ａ，１８，２１の全部または一部の機能がコンピュータプログラム（実行形式のファイルを含む。）で実現される場合、マイクロプロセッサは、記憶媒体（図示せず）からコンピュータプログラムをロードし実行することによって当該機能を実現することができる。
【００５４】
実施の形態２．
次に、本発明に係る実施の形態２について説明する。図１２は、実施の形態２の再生装置１Ｂの構成を概略的に示す機能ブロック図である。図１２及び図１において、同一符号を付された機能ブロック１１〜１５，１８〜２２は互いに同一機能を有するので、その詳細な説明は省略する。
【００５５】
本実施の形態の再生装置１Ｂでは、操作入力処理部１６Ｂは、実施の形態１の操作入力処理部１６Ａと同様に、リモコン３３から送信された入力情報を受信し、この入力情報に対応する制御コマンドを発行する機能を有する。操作入力処理部１６Ｂは、さらに、車載モニタなどの小型の画像表示装置３２とともに使用されるタッチパネル（接触型入力装置）３４に操作入力された座標情報を制御部１７Ｂに出力する機能を有する。制御部１７Ｂは、パネル入力解析部１７１を有している。パネル入力解析部１７１は、座標情報（Ｘ座標及びＹ座標）を解析し、その解析結果に応じた制御コマンドを発行する機能を有する。
【００５６】
図１３は、画像表示装置３２の表示画面５１を例示する図である。表示画面５１には、映像データに基づくコンテンツ画像３００Ａ，３００Ｂ，３００Ｄを含む画像と、復号オブジェクト画像３０１，３０２，３０３と、新オブジェクト画像６０３〜６０６とが表示されている。画像生成部２１は、画像表示装置３２の表示解像度に合わせたサイズを有する新オブジェクト画像６０３〜６０６のデータを生成している。これにより、ユーザが操作しやすい表示画面５１を提供することができる。ユーザは、タッチパネル３４を通じて位置５２Ａに接触することで、この位置５２ＡのＸ座標とＹ座標の組からなる座標情報（７２０，７００）を入力することができ、また、位置５２Ｂに接触することで、この位置５２ＢのＸ座標とＹ座標の組からなる座標情報（４２０，７２０）を入力することができる。
【００５７】
図１４及び図１５は、再生装置１Ｂの制御部１７Ｂにより実行される制御処理の手順を概略的に示すフローチャートである。ここで、図１４及び図１５のフローチャートは、接続子Ｃ２を介して相互に接続されている。図１４のフローチャートは、タッチ操作入力処理（ステップＳ３５）を除いて図９のフローチャートと同じである。
【００５８】
ステップＳ３５では、図１５のタッチ操作入力処理が実行される。図１５を参照すると、パネル入力解析部１７１は、タッチパネル３４での操作入力を検出しない場合は（ステップＳ３４１のＮＯ）、図１４のステップＳ３６に処理を移行させる。一方、タッチパネル３４での操作入力を検出した場合は（ステップＳ３５１のＹＥＳ）、パネル入力解析部１７１は、入力座標を解析し（ステップＳ３５２）、この入力座標がオブジェクト画像（復号オブジェクト画像または新オブジェクト画像）の表示領域と重複しているか否かを判定する（ステップＳ３５３）。パネル入力解析部１７１は、入力座標がオブジェクト画像の表示領域と重複していないと判定した場合（ステップＳ３５３のＮＯ）、図１４のステップＳ３６に処理を移行させる。一方、パネル入力解析部１７１は、入力座標がオブジェクト画像の表示領域と重複すると判定した場合（ステップＳ３５３のＹＥＳ）、当該オブジェクト画像に対応するユーザ操作が再生制御のためのイベントに該当するか否かを判定する（ステップＳ３５４）。ユーザ操作が、たとえば、再生開始、一時停止、早送りあるいは巻戻しなどの再生制御に関係するイベントに該当する場合（ステップＳ３５４のＹＥＳ）、再生制御部１７０は、当該イベントに対応する再生制御を実行する（ステップＳ３５５）。その後、再生制御部１７０は、図１４のステップＳ３６に処理を移行させる。
【００５９】
一方、ユーザ操作が、たとえば、ボタン画像の選択やメニュー画像の表示指示といった、再生制御に直接関係しないイベントに該当する場合（ステップＳ３５４のＮＯ）、再生制御部１７０は、当該イベントに応じてグラフィックスデコーダ１５や画像重畳部２２の動作を制御することにより表示制御を行う。その後、再生制御部１７０は、図１４のステップＳ１６に処理を移行させる。
【００６０】
なお、上記ステップＳ３５３で、パネル入力解析部１７１は、入力座標がオブジェクト画像の表示領域と重複していないと判定した場合（ステップＳ３５３のＮＯ）は、再生制御部１７０は、画像表示装置３２にオブジェクト画像が１つも表示されていないときには、画像生成部２１に現在有効な全てのオブジェクト画像を生成させてもよい。
【００６１】
上記したように実施の形態２の再生装置１Ｂでは、上記実施の形態１の再生装置１Ａと同様に、情報解析部１８が再生制御情報とオブジェクト情報との少なくとも一方を解析し、その解析結果に基づいて画像生成部２１が復号オブジェクト画像とは異なる属性を有する新オブジェクト画像を生成する。画像重畳部２２は、新オブジェクト画像のデータを映像データに重畳させて画像表示装置３２に表示させる。画像生成部２１は、解析結果に基づいて、ユーザがタッチパネル３４に操作入力しやすいように新オブジェクト画像の表示位置やサイズを調整することができるので、ユーザが操作しやすい表示画面を提供することができる。
【００６２】
なお、上記再生装置１Ｂを構成する機能ブロック１２〜１５，１７Ｂ，１８，２１の全部または一部は、たとえば、マイクロプロセッサ，ＲＯＭ（Ｒｅａｄ  Ｏｎｌｙ  Ｍｅｍｏｒｙ），ＲＡＭ（Ｒａｎｄｏｍ  Ａｃｃｅｓｓ  Ｍｅｍｏｒｙ），タイマー回路，入出力インターフェース及び専用処理ユニットを含む集積回路で構成することができる。また、機能ブロック１２〜１５，１７Ｂ，１８，２１の全部または一部の機能は、ハードウェアで実現されてもよいし、あるいは、マイクロプロセッサにより実行されるコンピュータプログラムで実現されてもよい。機能ブロック１２〜１５，１７Ｂ，１８，２１の全部または一部の機能がコンピュータプログラム（実行形式のファイルを含む。）で実現される場合、マイクロプロセッサは、記憶媒体（図示せず）からコンピュータプログラムをロードし実行することによって当該機能を実現することができる。
【００６３】
以上、図面を参照しつつ本発明に係る種々の実施の形態について述べたが、これらは本発明の例示であり、上記以外の様々な形態を採用することもできる。たとえば、実施の形態１，２の再生装置１Ａ，１Ｂは、記録媒体３０から読み出されたデジタルストリームを入力とするが、デジタルストリームの供給源は記録媒体３０に限定されるものではない。たとえば、外部機器（図示せず）から有線伝送路または無線伝送路を介してデジタルストリームが入力されたり、外部の通信機器（図示せず）からＬＡＮやＷＡＮ（Ｗｉｄｅ  Ａｒｅａ  Ｎｅｔｗｏｒｋ）などの通信ネットワークを介してデジタルストリームが入力されたりしてもよい。
【符号の説明】
【００６４】
１Ａ，１Ｂ  再生装置、  １１  データ入力処理部、  １２  ストリーム分離部、  １３  オーディオデコーダ、  １４  映像デコーダ、  １５  グラフィックスデコーダ、  １６Ａ，１６Ｂ  操作入力処理部、  １７Ａ，１７Ｂ  制御部、  １７０  再生制御部、  １７１  パネル入力解析部、  １８  情報解析部、  １９  第１制御情報解析部、  ２０  第２制御情報解析部、  ２０１  ユーザオペレーションマスク解析部、  ２０２  時間情報解析部、  ２０３  ユーザコマンド解析部、  ２０４  再生単位情報解析部、  ２０５  オブジェクト情報解析部、  ２１  画像生成部、  ２２  画像重畳部、  ３０  記録媒体、  ３１  音声出力装置、  ３２  画像表示装置、  ３３  リモートコントローラ（リモコン）。
【図１】
2011188173.tif 000003
【図２】
2011188173.tif 000004
【図３】
2011188173.tif 000005
【図４】
2011188173.tif 000006
【図５】
2011188173.tif 000007
【図６】
2011188173.tif 000008
【図７】
2011188173.tif 000009
【図８】
2011188173.tif 000010
【図９】
2011188173.tif 000011
【図１０】
2011188173.tif 000012
【図１１】
2011188173.tif 000013
【図１２】
2011188173.tif 000014
【図１３】
2011188173.tif 000015
【図１４】
2011188173.tif 000016
【図１５】
2011188173.tif 000017